(57)【要約】【課題】  排泄物の外部漏洩防止に優れた効果を発揮するおむつの提供。【解決手段】  おむつの股間部に、通常設置される液吸収体又は液吸収コアを加えて、超吸水性ポリマー層を付設する。【選択図】  図３
0003117119.tif 000002
【実用新案登録請求の範囲】
【請求項１】
短辺対長辺の長さに比が１：１．０〜１．５の範囲にある矩形シートの対向する２つの長辺の中央部を、両側に前部残留辺及び後部残留辺を残して弓形に切り欠き、その辺に平行なシート中心線に関して対称な２つの湾入部を設け、湾入部を設けない２辺をそれぞれ立ち上げて向き合せ、両側で向き合う前部残留辺と後部残留辺を接合した形態のパンツ型形状にあり、１つのウエストホールと２つのレッグホールのそれぞれに近傍に細長い弾性材が配設されている外装パンツと、外装パンツの股間部内側中央部に、前記シート中心線に沿って接合された前後方向に伸びる吸収体とを備えたパンツ型おむつにおいて、吸収体と外装パンツの股間部との間の弾性材不存在領域に、超吸水性ポリマー層を付設したことを特徴とする前記のパンツ型おむつ。
【請求項２】
前記の吸収体が、綿状パルプと超吸水性ポリマーと吸水紙とからなる吸収体コアを、液透過性表面シートと液不透過性裏面シートとで挟み、吸収体コア周辺部で前記の表面シートと裏面シートを接合した形態にある請求項１記載のパンツ型おむつ。
【請求項３】
パンツ外装を形成する矩形シートが、２枚の不織布シートを、間に複数本の細長い弾性材を介在させて接合したラミネートである請求項１記載のパンツ型おむつ。
【請求項４】
短辺対長辺の長さの比が１：１．５〜３．５の範囲にある矩形シートの対向する２つの長辺の中央部を、両側に前部残留辺と後部残留辺を残して弓形に切り欠き、その辺に平行なシート中心線に関して対称な２つの湾入部を設けた形状にあり、２つの湾入部の縁部近傍に細長い弾性材が前記シート中心線方向に配設されている外装シートと、前記湾入部が形成する外装シートの狭隘部分上面に、前後方向に配設された吸収体コアと、そのコアの上面全域を覆い、コア周縁部で外装シートに接合された液透過性シートと、前記外装シートの前部残留辺及び／又は後部残留辺に設けた止着手段とを備えたおむつにおいて、吸収体コアと外装シートの間の弾性材不存在領域に、超吸水性ポリマー層を付設したことを特徴とする前記のおむつ。
【請求項５】
外装シートが、プラスチックフィルムを２枚の不織布で挟み、プラスチックフィルムと不織布との間に、細長い弾性材を複数本介在させてプラスチックフィルムと不織布をラミネートさせた構造にある請求項４記載のおむつ。
【請求項６】
吸収体コアの上面を覆う液透過性シートが不織布シートである請求項２又は請求項４記載のおむつ。
【請求項７】
吸収体コアの上面を覆う液透過性シートが孔明きプラスチックフィルムである請求項２又は請求項４記載のおむつ。
【考案の詳細な説明】
【技術分野】
【０００１】
この考案は、おむつに関するものであって、詳しくは、ヒトからの排泄物がおむつ内部に放出された際に、おむつの股間部近傍から排泄物が漏洩するのを大幅に減少させることできるおむつに係る。
【背景技術】
【０００２】
ヒトが着用するおむつは、吸収性物品とも呼ばれるが、そうしたおむつは、特別な止着手段を持たないパンツ型おむつと、テープ又はベルトなどの止着手段を備えた非パンツ型おむつとに大別することができる。そして、非パンツ型おむつは、これに用いている止着手段の違いによって、テープ型（外羽根式）おむつと、ベルト型（（内羽根式）おむつとに分類することができる。
【０００３】
非パンツ型おむつは、通常、その着用に介護者を必要とするのに対し、パンツ型おむつは、多くの場合、被着者自身で着用できる利点がある。タイプの如何を問わず、おむつの基本構造は、おむつ股間部の前後方向に、超吸水性ポリマーとパルプと吸水紙との混合物（これを吸収体コアと呼ぶ）を帯状に設置した構造にある。しかし、この構造だけではおむつ内部に放出された排泄物の外部への漏洩を充分に防止することができない。このため、現在実用に供されているおむつには、内部に放出された排出物がおむつの股間部近傍から簡単には漏洩しないような工夫が施されている。
【０００４】
例えば、非パンツ型おむつにあっては、その股間部対応部位の両縁に、弾性収縮性のガスケットカフスと、バリアカフスを設けることにより、排泄物が股間部近傍から漏洩するのを防止している（特公平6-93901号公報参照）。また、パンツ型おむつでは、その股間部内側の両側に防漏カフを設けると共に、腹部内側及び腰部内側に、それそれ防漏ポケットを付設することが提案されている（特開2003-10237号公報参照）
【考案の開示】
【考案が解決しようとする課題】
【０００５】
パンツ型であるか非パンツ型であるかを問わず、従来のおむつ股間部近傍に設けられた漏洩防止手段では、排泄物の漏洩を満足できる程度に防ぐことが難しい。特に、おむつ着用者が横臥している状態が比較的長時間続いた場合には、おむつ内部に蓄積された排泄物の量が少なくても、従来のおむつでは漏洩の心配がある。
この考案の目的は、おむつ股間部近傍から排泄物が漏洩する心配を払拭できるパンツ型おむつ及び非パンツ型おむつを提供することにある。
【課題を解決するための手段】
【０００６】
この考案に係るパンツ型おむつは、短辺対長辺の長さに比が１：１．０〜１．５の範囲にある矩形シートの対向する２つの短辺又は長辺の中央部を、両側に前部残留辺及び後部残留辺を残して弓形に切り欠き、その辺に平行なシート中心線に関して対称な２つの湾入部を設け、湾入部を設けない２辺をそれぞれ立ち上げて向き合せ、両側で向き合う前部残留辺と後部残留辺を接合した形態のパンツ型形状にあり、１つのウエストホールと２つのレッグホールのそれぞれに近傍に細長い弾性材が配設されている外装パンツと、外装パンツの股間部内側中央部に、前記シート中心線に沿って接合された前後方向に伸びる吸収体とを備えたパンツ型おむつにおいて、吸収体と外装パンツの股間部との間の弾性材不存在領域に、超吸水性ポリマー層を付設したことを特徴とする。
【０００７】
また、この考案に係る非パンツ型おむつは、短辺対長辺の長さの比が１：１．５〜３．５の範囲にある矩形シートの対向する２つの短辺又は長辺の中央部を、両側に前部残留辺と後部残留辺を残して弓形に切り欠き、その辺に平行なシート中心線に関して対称な２つの湾入部を設けた形状にあり、２つの湾入部の縁部近傍に細長い弾性材が前記シート中心線方向に配設されている外装シートと、前記湾入部が形成する外装シートの狭隘部分上面に、前後方向に配設された吸収体コアと、そのコアの上面全域を覆い、コア周縁部で外装シートに接合された液透過性シートと、前記外装シートの前部残留辺及び／又は後部残留辺に設けた止着手段とを備えたおむつにおいて、吸収体コアと外装シートの間の弾性材不存在領域に、超吸水性ポリマー層を付設したことを特徴とする。
【考案の効果】
【０００８】
この考案に係るおむつは、従来のおむつに通常配設される吸収体コアに加えて、超吸水性ポリマー層を備えているため、従来のおむつに比較して、おむつ内に保持できる液量を大幅に増大させることができ、このために、おむつ着用者が横臥状態を長時間続けても、おむつ股間部近傍からの尿漏れなどを効果的に抑止することができる。
【考案を実施するための最良の形態】
【０００９】
本考案に係るおむつを添付図面に沿って説明すると、図１は、本考案に係るパンツ型おむつの一例を示す外観斜視図であり、図２はそのおむつを展開し、弾性体を緊張させた状態の下で、おむつ内面を示す平面図であり、図３は、図２のＡ−Ａ線での断面図である。
【００１０】
図１〜図３において、外装パンツＡは、矩形シートの対向する長辺の中央部を、両側に後部残留辺７，７と前部残留辺８，８を残して弓形に切り欠き、切り欠いた辺に平行なシート中心線に関して対称な２つの湾入部を設け、湾入部を設けていない対向２辺をそれぞれ立ち上げて向き合せ、向き合わせた辺の両側で前部残留辺と後部残留辺を接合することで形成される。この外装パンツＡは、図１に示すとおり、一つのウエストホール３と二つのレッグホール４を持ち、ウエストホール近傍には、通常複数本の細長い弾性材が配設され、レッグホール近傍には、１本又はそれ以上の細長い弾性材が配設される。
外装パンツに配設されている複数本の細長い弾性材は、通常、外装パンツの外面や内面に露呈せず、従って、外装パンツの内面（着用者の肌に接する面を言う）を示す展開図には、弾性材は現れない。しかし、図２では便宜的にこれらの弾性材を２点鎖線で表示する。
【００１１】
なお、図２に示す実施例では、矩形シートの長辺に湾入部を設けているが、湾入部を長辺に設ける代わりに、短辺に設けても差し支えない。この場合、外装パンツのウエストホールは、矩形シートの２つの長辺で形作られので、その近傍に配設される細長い弾性材は、長辺に平行に並ぶのが普通である。
外装パンツの形成に使用される矩形シートは、２枚の不織布シートの間に、複数本の細長い弾性材を挟んで不織布シートをラミネートしたものであることが好ましい。
【００１２】
外装パンツＡの股間部内側の中央部には、上記したシート中心線に沿って吸収体５が配設される。吸収体５は、通常、綿状パルプと超吸水性ポリマーと吸水紙とで構成される全体として扁平な吸収体コア６を、液透過性表面シート７と液不透過性裏面シート８で挟み、吸収体コア周縁で両シートをヒートシールするか、ホットメルト接合して作成される（図３参照）。液透過性シートには、不織布や多数の孔を持つプラスチックフィルムが使用できる。
【００１３】
従来のパンツ型おむつでは、吸収体５が外装パンツの股間部内面に直接接合され、詳しく言えば、吸収体の裏面シート８がホットメルトによって外装パンツに接合されるが、本考案のパンツ型おむつでは、吸収体５と外装パンツ内面との間に、超吸水性ポリマー層９が付加的に設置される。
【００１４】
本考案での超吸水性ポリマー層９の平面形状は、台形、矩形など任意に選択することができ、その大きさも外装パンツに収まることを条件に、任意に選択できる。超吸水性ポリマー層９は、吸収体５の配設領域近傍に設置されるが、この場合、ポリマー層９と吸収体５とが、図２に示すように、重なっても差し支えない。しかし、ポリマー層９の設置個所は、外装パンツに配設されている細長い弾性材が存在しない外装パンツ内面であることが好ましい。ポリマー層９を弾性材存在領域に接合したのでは、弾性材の収縮性が損なわれるからである。ちなみに、図示の具体例では、外装パンツの股間部を横断して弾性材が配設されているので、図２に示す超吸水性ポリマー層９は、股間部の弾性材配設領域を跨いで、前後に二分されている。
【００１５】
超吸水性ポリマー層９には、当業界で公知である粒状の超吸水性樹脂又は高吸水性樹脂を、例えば、粒状ポリアクリル酸ソーダの集合体を層状にして不織布シートでサンドイッチにし、板状集合体の周縁で不織布シートをホットメルト接合したものを使用することが好ましい。
なお、図示を省略したが、本考案のパンツ型おむつには、前記したシート中心線を関して対称な２つの弾性収縮性の立体バリアカフスを、吸収体５を挟んで設置することができる。
【００１６】
この考案に係る非パンツ型おむつの具体例は、図４〜図６に示される。図４は、テープ型おむつを展開し、弾性材を緊張させておむつ内面を示す平面図であり、図５は図４のＢ−Ｂ線での断面図である。図６はベルト型おむつを展開し。弾性材を緊張させておむつ内面を示す平面図である。ここで、内面とはおむつ着用者の肌に接する面を意味する。
【００１７】
図４及び図６に示すように、本考案に係るテープ型おむつＢ及びCは、矩形シートの対向する２つの長辺の中央部を、両側に後部残留辺１，１及び前部残留辺２，２を残して弓形に切り欠き、切り欠いた辺に平行なシート中心線に関して対称な湾入部を設けた形状にあり、２つの湾入部の縁部近傍に複数本の細長い弾性材を、前記のシート中心線に平行に配設されている外装シートを備え、さらに、後述するように、超吸水性ポリマー層９と、吸収体コア６を備えている。
また、外装シートに配設されている複数本の細長い弾性材は、前記したパンツ型おむつの場合と同様、おむつ内面を示す展開図には通常現れない。しかし、図４では便宜的にこれらの弾性材を２点鎖線で表示する。
【００１８】
図４に示すテープ型おむつＢでは、外装シートの後部残留辺１，１に、それぞれテープ状の面ファスナー１０が止着手段として直接取り付けられている。これに対し、図６に示すベルト型おむつCでは、外装シートの後部残留辺１，１に、それぞれベルト１１を取り付け、一方のベルトの自由端に面ファスナー１０を取り付けている。そして、ベルト型おむつCでは、外装シートの前部側短辺の適宜な個所に、面ファスナーが設けられている。
【００１９】
おむつの外装シートを得るのに使用される矩形シートは、１枚のプラスチックフィルムを２枚の不織布シートで挟み、プラスチックフィルムと不織布シートとの間に、複数本の細長い弾性材を介在させてプラスチックフィルムと不織布シートを接合させたラミネートであることが好ましい。プラスチックフィルムとしては、ポリエチレンフィルムが使用され、不織布シートとしては、ポリオレフィン、ポリエステルなどの合成樹脂製の不織布シートが使用される。この種の不織布シートは、パンツ型オムツにも使用される。
【００２０】
本考案の非パンツ型おむつでは、前記した吸収体５を使用する代わりに、表面シートと裏面シートでサンドイッチされていない吸収体コア６を、すなわち、綿状パルプと超吸水性ポリマーと吸収紙とからなる集合体を、超吸水性ポリマー層９と共に使用する。図４及び図６に示すように、吸収体コア６と超吸水性ポリマー層９とは、２つの湾入部が形成する外装シートの狭隘部分に、前記のシート中心線に沿って前後方向に延設される。そして、テープ型おむつBでも、ベルト型おむつCでも、吸収体コア６は、超吸水性ポリマー層９よりも内面側に位置する（図５参照）。
【００２１】
本考案に係る非パンツ型おむつの外装シートに、２枚の不織布シートの間にプラスチックフィルムを挟んだラミネートを使用する場合には、図５に示す如く、前記ラミネートのプラスチックフィルムと、おむつ内面側不織布シートとの間に、吸収体コア６及び超吸水性ポリマー層９を挟持させることが好ましい。この態様では、吸収体コア６の上面が不織布シートで覆われることになるが、この不織布シートは、多数の孔が開いた孔明きプラスチックフィルムに置き換えることができる。
超吸水性ポリマー層９の平面形状は、台形、矩形など任意に選択することができる。しかし、ポリマー層９の設置個所は、外装シートに配設されている細長い弾性材が存在しない領域が選ばれる。
なお、図示を省略したが、本考案の非パンツ型おむつには、前記したシート中心線を関して対称な２つの弾性収縮性立体バリアカフスを、シート中心線を挟んでおむつの前後方向に設置することができる。
【図面の簡単な説明】
【００２２】
【図１】本考案に係るパンツ型おむつの斜視図である。
【図２】本考案に係るパンツ型おむつを展開し、弾性材を緊張させておむつ内面を示す平面図である。
【図３】図２のＡ−Ａ線での断面図である。
【図４】本考案に係るテープ型おむつを展開し、弾性材を緊張させておむつ内面を示す平面図である。
【図５】図４のＢ−Ｂ線での断面図である。
【図６】本考案に係るベルト型おむつを展開し、弾性材を緊張させておむつ内面を示す平面図である。
【符号の説明】
【００２３】
１，１；後部残留辺            ２，２：前部残留辺
３：ウエストホール            ４，４：レッグホール
５：吸収体                        ６：吸収体コア
７：液透過性表面シート            ８：液不透過性裏面シート
９：超吸水性ポリマー層          １０：面ファスナー
１１：ベルト
【図１】
0003117119.tif 000003
【図２】
0003117119.tif 000004
【図３】
0003117119.tif 000005
【図４】
0003117119.tif 000006
【図５】
0003117119.tif 000007
【図６】
0003117119.tif 000008